(57)【要約】【課題】  進路を照明し続けうる遠隔操作の照明手段と点滅しうる遠隔操作の照明手段とを含むヘッドライト装置を備えた新規の遠隔操作型走行玩具を提供するを提供するものである。【解決手段】  遠隔操作器を用いて離れた位置から操作しうるヘッドライト装置を備えた遠隔操作型走行玩具に関し、連続照明発光体として機能するヘッドライト２と点滅照明発光体として機能するフラッシュライト３を並べて設けられた左右一対のヘッドライト装置４、５を車体６の正面左右両側個所に装備し、舵取制御用操作部、速度制御用操作部、ヘッドライトの点灯・消灯制御用操作部及びフラッシュライトの点灯・消灯制御用操作部を備えた遠隔操作器により前記照明手段を遠隔操作しうるようにされたことを特徴とする。【選択図】        図１
2006167386.tif 000002
【特許請求の範囲】
【請求項１】
進路を照明し続けうる遠隔操作の連続照明手段と点滅しうる遠隔操作の点滅照明手段とを含むヘッドライト装置を備えたことを特徴とする遠隔操作型走行玩具。
【請求項２】
前記連続照明手段に含む連続照明発光体及び前記点滅照明手段に含む点滅照明発光体を一つの支持部材に固定して車体正面の左右両側個所に止着したことを特徴とする請求項１記載の遠隔操作型走行玩具。
【請求項３】
舵取制御用操作部、速度制御用操作部、ヘッドライトの点灯・消灯制御用操作部及びフラッシュライトの点灯・消灯制御用操作部を備えた遠隔操作器により前記照明手段を遠隔操作しうるようにされたことを特徴とする請求項１又は２記載の遠隔操作型走行玩具。
【発明の詳細な説明】
【技術分野】
【０００１】  本発明は、遠隔操作器を用いて離れた位置から操作しうるヘッドライト装置を備えた遠隔操作型走行玩具に関する。
【背景技術】
【０００２】  従前、一つの発光体からなるヘッドライト装置を点滅させる形式の自動車玩具は、特許文献１によって開示されている。【０００３】  しかしながら、前記自動車玩具は、ヘッドライト装置が点滅を繰り返すようにされた構成であって、当該ヘッドライト装置の発光作用による興趣は必ずしも充分にあるとは言えないものであった。しかも、消灯時にはヘッドライト本来の機能すなわち進路を照明し続ける機能を失した状態になってしまうという致命的欠陥を有しているものであった。また、遊戯者自身の意思で自在に点灯・消灯をコントロールして遊戯するという楽しみ方が全くできないものであった。してみると、本発明とは技術思想において全く異なるものである。【０００４】  そこで前記実情に鑑み、本発明は、前記自動車玩具とは全く異質の遠隔操作型走行玩具すなわち、進路を照明し続けうる遠隔操作の照明手段と点滅しうる遠隔操作の照明手段とを含むヘッドライト装置を備えた遠隔操作型走行玩具を提供し、これによりヘッドライトの発光作用による興趣を顕著に高め、前記致命的欠陥を解消し、遊戯者自身の意思による点灯・消灯操作を自在に楽しめるようにしたものである。【０００５】
【特許文献１】登録実用第３０３０１３０号公報
【０００６】  なお、本願出願人は、進路を照明し続けうる遠隔操作の照明手段と点滅しうる遠隔操作の照明手段とを含むヘッドライト装置を備えた遠隔操作型走行玩具について、先行技術を調査したが、これに関連する先行技術文献を見出すことができなかった。
【発明の開示】
【発明が解決しようとする課題】
【０００７】  本発明は、ヘッドライト装置の発光作用による興趣を顕著に高め、前記致命的欠陥を解消し、遊戯者自身の意思による点灯・消灯操作を自在に楽しめるようにした新規の遠隔操作型走行玩具を提供することを目的とするものである。
【課題を解決するための手段】
【０００８】  上記目的を達成するために、請求項１に係る遠隔操作型走行玩具にあっては、進路を照明し続けうる遠隔操作の連続照明手段と点滅しうる遠隔操作の点滅照明手段とを含むヘッドライト装置を備えたことを特徴とする。【０００９】  したがって、後述するような多数パターンのバリエーションで遊戯に興ずることができる。【００１０】  その結果、ヘッドライト装置の発光作用による興趣が顕著に高められることになり、前記致命的欠陥が解消されることになり、遊戯者自身の意思による点灯・消灯操作が自在に楽しめるようにされることになり、新規の遠隔操作型走行玩具を提供するという所期の目的を完全に達成することができる。【００１１】  請求項２に係る遠隔操作型走行玩具にあっては、前記請求項１記載の遠隔操作型走行玩具に関し、前記連続照明手段に含む連続照明発光体及び前記点滅照明手段に含む点滅照明発光体を一つの支持部材に固定して車体正面の左右両側個所に止着したことを特徴とする。【００１２】  したがって、連続照明手段に含む連続照明発光体及び前記点滅照明手段に含む点滅照明発光体を一つの支持部材に固定することでヘッドライト装置を構成することができ、後述するような所謂柔らかボディの車体に対する連続照明発光体及び点滅照明発光体の取付作業を容易にすることができる。【００１３】  請求項３に係る遠隔操作型走行玩具にあっては、前記請求項１又は２記載の遠隔操作型走行玩具に関し、舵取制御用操作部、速度制御用操作部、ヘッドライトの点灯・消灯制御用操作部及びフラッシュライトの点灯・消灯制御用操作部を備えた遠隔操作器により前記両照明手段を遠隔操作しうるようにされたことを特徴とする。【００１４】  したがって、遊戯者は、前記遠隔操作器を持ち、これを操作することで車体の舵取制御、車体の（前後進）速度制御、ヘッドライトの点灯・消灯制御及びフラッシュライトの点灯・消灯制御ができる。
【発明の効果】
【００１５】  請求項１に係る遠隔操作型走行玩具は、進路を照明し続けうる遠隔操作の連続照明手段と点滅しうる遠隔操作の点滅照明手段とを含むヘッドライト装置を備えているので、ヘッドライト装置の発光作用による興趣を顕著に高めることができ、前記致命的欠陥を解消することができ、遊戯者自身の意思による点灯・消灯操作を自在に楽しめるようにすることができる。【００１６】  請求項２に係る遠隔操作型走行玩具は、前記連続照明手段に含む連続照明発光体及び前記点滅照明手段に含む点滅照明発光体を一つの支持部材に固定した状態で車体正面の左右内側個所に止着するようにしたので、車体に対する連続照明発光体及び点滅照明発光体の取付は容易に能率よくできる。しかも、支持部材に対する連続照明発光体及び点滅照明発光体の取付が車体とは所謂分業で生産でき、工程の簡略化ができる。【００１７】  請求項３に係る遠隔操作型走行玩具は、舵取制御用操作部、速度制御用操作部、ヘッドライトの点灯・消灯制御用操作部及びフラッシュライトの点灯・消灯制御用操作部を備えた遠隔操作器により前記両照明手段を遠隔操作しうるようにされたことを特徴とするので、前記のバリエーションをつけた多くの遊戯パターンを実行して楽しむことができる。
【発明を実施するための最良の形態】
【００１８】  本発明の実施の形態に係る遠隔操作型走行玩具１は、図１乃至図３に示すように、連続照明発光体として機能するヘッドライト２と点滅照明発光体として機能するフラッシュライト３を並べて設けられた左右一対のヘッドライト装置４、５を構成し、この左右一対のヘッドライト装置４、５を車体６の正面左右両側個所に装備した遠隔操作型走行玩具である。なお、図１は本発明の実施の形態に係る遠隔操作型走行玩具１を示す全体の斜視図、図２は図１ＡーＡ線に沿う要部の拡大断面図、図３は図１ＢーＢに沿う要部の拡大断面図である。【００１９】  この遠隔操作型走行玩具１はこれと対の無線式遠隔操作器７により舵取制御及び速度制御並びにライト点灯・消灯制御しうる構成にされている。なお、本発明は有線式遠隔操作器により舵取制御及び速度制御並びにライト点灯・消灯制御しうる構成にすることができる。また、この実施の形態に係る遠隔操作型走行玩具１は、前記発光体としてＬＥＤ（発光ダイオード）を用いて省電力化されているが、これ以外の発光体を用いてもよい。ヘッドライト２もフラッシュしうる構成にして実施することができる。【００２０】  前記左右各ライト装置４、５は、ヘッドライト２とフラッシュライト３が支持部材８に横並び配置に固定され、当該支持部材８が固定部材９を介して車体６に固定されている。なお、前記ヘッドライト２及びフラッシュライト３の支持部材８に対する固定は、縦並び配置、斜め並び配置等任意の並び配置にすることができる。また、前記固定部材９は透明プラスチックによって構成されレンズを兼ねる構造にされている。【００２１】  また、遠隔操作器７は、正面の上半分の左右両側個所に舵取制御用操作レバー１１と速度制御用操作レバー１２が設けられ、正面の下半分の中央個所に上下配置でヘッドライト２の点灯・消灯制御用ボタンスイッチ１３とフラッシュライト３の点灯・消灯制御用ボタンスイッチ１４が設けられている。前記操作レバー及びスイッチは、舵取制御用操作機能、速度制御用操作機能、ヘッドライトの点灯・消灯制御用操作機能及びフラッシュライトの点灯・消灯制御用操作機能を果たす他の構成にすることができる。【００２２】  さらに、前記車体６は、車輪１６を備えたシャーシ１７に外装ボディ１８を被せることで構成され、そしてその中に、遠隔制御のための受信回路等電子回路を含むプリント基盤、モータやバッテリを含む駆動回路、機械的部品等（これらは図示せず）が内蔵され、前記無線遠隔操作器６から舵取制御信号、速度制御信号及び点灯・消灯制御信号を受信することで前後進しうるようにされている。また前記外装ボディ１８は、手で押したときにはその力で凹み、手を離したときには弾発的に復元する厚さのポリエチレンテレフタレート透明薄板、ポリカーボネート透明薄板等合成樹脂薄板により成形された軽量な所謂柔らかボディにしてあり、内面に塗料１９を塗布してある。この塗料の塗布は、前記ヘッドライト装置４，５の取付部分２０には施さず当該部分２０を透明のままにすることで投光性を良くしてある。このような柔らかボディに対してヘッドライト２及びフラッシュライト３を装備する場合には、前記支持部材８及び固定部材９を介して取り付けることが強度的にも��めて有効であり、当該取付が容易にされ且つ確固たるものにされる。なお、外装ボディ１８は、他の硬いプラスチック、その他の材料で構成してもよい。【００２３】  前記実施の形態に係る遠隔操作型走行玩具は、前記のとおりであるので、遊戯者は、前記無線遠隔操作器７を持ち、舵取制御用操作レバー１１と速度制御用操作レバー１２を操作して車体６を走行させることができる、しかも当該走行中あるいは停車中にあっては、ヘッドライト２の点灯・消灯制御用ボタンスイッチ１３を操作してヘッドライト２を点灯・消灯させたり、フラッシュライト３の点灯・消灯制御用ボタンスイッチ１４を操作してフラッシュライト３を点灯・消灯させたりする等の多数種のバリエーションで遊戯に興ずることができる。【００２４】  なお、前記バリエーションには、例えば所謂消灯状態で前・後進走行、蛇行走行させるパターン、ヘッドライトの点灯状態で前・後進走行、蛇行走行させるパターン、フラッシュライトの点灯状態で前・後進走行、蛇行走行させるパターン、ヘッドライト・フラッシュライト両ライトの点灯状態で前・後進走行、蛇行走行させるパターン、停車状態でヘッドライトを点灯・消灯状態にするパターン、停車状態でフラッシュライトを点灯・消灯状態にするパターン、走行中にあってヘッドライトを小刻みに点灯・消灯状態にするパターン、走行中にあってフラッシュライトを小刻み点灯・消灯状態にするパターン等がある。【００２５】  本発明は、ヘッドライトが消灯状態にある時には、フラッシュライトの点灯はできない構成にして実施することができる。【００２６】  本発明は、前記実施の形態の遠隔操作型走行玩具に限定されるものではなく、本発明の特許請求の範囲に記載されている発明の精神を逸脱しない範囲で、設計において種々の変更ができるものである。
【図面の簡単な説明】
【００２７】
【図１】本発明の実施の形態を示す全体の斜視図である。
【図２】図１ＡーＡ線に沿う要部の拡大断面図である。
【図３】図１ＢーＢ線に沿う要部の拡大断面図である。
【符号の説明】
【００２８】  １  実施の形態に係る遠隔操作型走行玩具
２  ヘッドライト
３  フラッシュライト
４  ヘッドライト装置
５  ヘッドライト装置
６  車体
７  無線式遠隔操作器
８  支持部材
９  固定部材
１１  舵取制御用操作レバー
１２  速度制御用操作レバー
１３  点灯・消灯制御用ボタンスイッチ
１４  点灯・消灯制御用ボタンスイッチ
１６  車輪
１７  シャーシ
１８  外装ボディ
１９  塗料
２０  塗料無し透明部分
【図１】
2006167386.tif 000003
【図２】
2006167386.tif 000004
【図３】
2006167386.tif 000005